(57)【要約】【課題】つまみ部を回転しやすくする構造を有するフロアマットの固定具を提供する。【解決手段】フロアマット５の固定具１０は、上グロメット１と、上グロメット１にはめ合わされる下グロメット２と、上グロメット１及び下グロメット２に設けられた穴に挿入されるつまみ部３を有するフック部材４とを備える。つまみ部３は、フロアマット５に対して略垂直の軸を中心に回動可能となっている。上グロメット１は、つまみ部３の左右に形成された二つの凸部１ｂ，１ｂと、二つの凸部１ｂ，１ｂの間に存在する二つの溝部１ａ，１ａとを有する。フック部材４の上面４ａと、二つの溝部１ａ，１ａとの高さは、略同一である。【選択図】図１
2019010949.tif 000002
【特許請求の範囲】
【請求項１】
上グロメットと、前記上グロメットにはめ合わされる下グロメットと、上グロメット及び下グロメットに設けられた穴に挿入されるつまみ部を有するフック部材とを備える固定具であって、
前記つまみ部は、前記フロアマットに対して略垂直の軸を中心に回動可能となっており、
前記上グロメットは、
前記つまみ部の左右に形成された二つの凸部と、
前記二つの凸部の間に存在する二つの溝部とを有することを特徴とする、フロアマットの固定具。
【請求項２】
前記フック部材の上面と、前記二つの溝部との高さは、略同一であることを特徴とする、請求項１に記載のフロアマットの固定具。
【請求項３】
上グロメットと、前記上グロメットにはめ合わされる下グロメットと、上グロメット及び下グロメットに設けられた穴に挿入されるつまみ部を有するフック部材とを備える固定具であって、
前記つまみ部は、前記フロアマットに対して略垂直の軸を中心に回動可能となっており、
前記上グロメットは、
上部に、前記つまみ部の周辺の異物を取り除くための少なくとも一つの溝部を有することを特徴とする、フロアマットの固定具。
【請求項４】
前記溝部は、二つであることを特徴とする、請求項３に記載のフロアマットの固定具。
【請求項５】
つまみ部を有するフック部材を挿入するためのフロアマットのグロメットであって、
上部に、前記つまみ部の周辺の異物を取り除くための少なくとも一つの溝部を有することを特徴とする、フロアマットのグロメット。
【発明の詳細な説明】
【技術分野】
【０００１】
本発明は、自動車のフロアマットを車体に固定するための固定具に関する。
【背景技術】
【０００２】
従来、自動車のフロアマットを車体に固定するための構造として、たとえば、特許文献１ないし３に記載の器具のように、フロアマットを上下の鳩目部材（グロメット）で挟んで、鳩目部材の中央の穴に、車体に別途固定されたフック部材に設けられたつまみ部を挿入し、つまみ部を回転させることで、鳩目部材がフック部材から抜けないようにする構造が採用されていた。
【０００３】
また、特許文献４ないし６に記載の器具では、鳩目部材の中央の穴に、倒すことが可能なレバーを設けて、レバーを倒すことで、鳩目部材がフック部材から抜けないようにする構造が採用されている。
【先行技術文献】
【特許文献】
【０００４】
【特許文献１】特許第5207438号公報
【特許文献２】特許第5453699号公報
【特許文献３】意匠登録第1296907号公報
【特許文献４】特許第5337210号公報
【特許文献５】特許第5478573号公報
【特許文献６】特許第5568065号公報
【発明の概要】
【発明が解決しようとする課題】
【０００５】
図１０は、従来の固定具の構造を説明するための図である。図１０に示すように、車体１６に、フック部材１４が、固定されている。フック部材１４の先端には、回動可能なつまみ部１３が設けられている。鳩目部材は、上下に分かれるようになっており、上グロメット１１と、下グロメット１３とからなる。上グロメット１１と下グロメット１３とによって、フロアマット１５を挟む。上グロメット１１と下グロメット１３の中央部分の穴に、つまみ部１３が挿入される。つまみ部１３を９０度回転させることで、フロアマット１５が、フック部材１４から抜けて外れないようになっている。
【０００６】
このような従来の固定具の構造において、つまみ部１３と上グロメット１１との間に、すき間Ａが生じることとなる。このすき間Ａに、指を入れることで、つまみ部１３を回転させることができる。しかし、すき間Ａに、小石やゴミなどの異物が入ってしまった場合、指を入れることができなくなる。そのため、つまみ部１３を回転させることができない。結果、フロアマット１５を取り外すのが困難なものとなってしまう。
【０００７】
それゆえ、本発明は、フロアマットの固定具において、つまみ部を回転しやすくする構造を提供することを目的とする。
【課題を解決するための手段】
【０００８】
上記課題を解決するために、本発明は、以下のような特徴を有する。本発明は、  上グロメットと、上グロメットにはめ合わされる下グロメットと、上グロメット及び下グロメットに設けられた穴に挿入されるつまみ部を有するフック部材とを備える固定具であって、つまみ部は、フロアマットに対して略垂直の軸を中心に回動可能となっており、上グロメットは、つまみ部の左右に形成された二つの凸部と、二つの凸部の間に存在する二つの溝部とを有することを特徴とする。
【０００９】
好ましくは、フック部材の上面と、二つの溝部との高さは、略同一であるとよい。
【００１０】
また、本発明は、上グロメットと、上グロメットにはめ合わされる下グロメットと、上グロメット及び下グロメットに設けられた穴に挿入されるつまみ部を有するフック部材とを備える固定具であって、つまみ部は、フロアマットに対して略垂直の軸を中心に回動可能となっており、上グロメットは、上部に、つまみ部の周辺の異物を取り除くための少なくとも一つの溝部を有することを特徴とする。
【００１１】
好ましくは、溝部は、二つであることとよい。
【００１２】
また、本発明は、つまみ部を有するフック部材を挿入するためのフロアマットのグロメットであって、上部に、つまみ部の周辺の異物を取り除くための少なくとも一つの溝部を有することを特徴とする。
【発明の効果】
【００１３】
本発明によれば、二つの凸部によって、つまみ部を誤って回転させてしまうのを防止することができる。そして、二つの溝部によって、つまみ部の周辺に入ってしまった異物を取り除くことが容易となる。これにより、異物が入ってしまったとしても、つまみ部を回転しやすくなる構造を有する固定具が提供されることとなる。
【００１４】
フック部材の上面と溝部との高さを略同一とすれば、異物の取り除きがより容易となる。
【００１５】
少なくとも一つの溝部でも、つまみ部の周辺の異物を取り除くことができる。好ましくは、溝部を二つとすれば、異物の取り取り除きが容易となる。
【００１６】
本発明のこれら、及び他の目的、特徴、局面、効果は、添付図面と照合して、以下の詳細な説明から一層明らかになるであろう。
【図面の簡単な説明】
【００１７】
【図１】図１は、本発明の一実施形態に係るフロアマットの固定具１０の斜視図である。
【図２】図２は、固定具１０の分解斜視図である。
【図３】図３は、固定付１０の分解正面図である。
【図４】図４は、固定具１０の分解左側面図である。
【図５】図５は、上グロメット１と下グロメット２とによって、フロアマット５を挟み込んだときの斜視図である。
【図６】図６は、上グロメット１と下グロメット２とによって、フロアマット５を挟み込んだときの左側面図である。
【図７Ａ】図７Ａは、つまみ部３を９０度回動させたときの固定具１０の平面図である。
【図７Ｂ】図７Ｂは、つまみ部３を回動させていない状態の固定具１０の平面図である。
【図７Ｃ】図７Ｃは、図７ＡにおけるＢ−Ｂ線での断面図である。
【図８】図８は、溝１ａ，１ａに、小石やゴミなどの異物Ｓが載ったときの様子を示す斜視図である。
【図９】図９（ａ）は、凸部を有さない上グロメット１の一例を示す斜視図であり、図９（ｂ）は、溝部１ａを一つのみ有する上グロメット１の一例を示す斜視図である。
【図１０】図１０は、従来の固定具の構造を説明するための図である。
【発明を実施するための形態】
【００１８】
図１は、本発明の一実施形態に係るフロアマットの固定具１０の斜視図である。図２は、固定具１０の分解斜視図である。図３は、固定付１０の分解正面図である。図４は、固定具１０の分解左側面図である。
【００１９】
図１ないし図４に示すように、固定具１０は、上グロメット１と、下グロメット２と、フック部材４とを備える。フック部材４は、先端に、つまみ部３を有する。つまみ部３は、回動可能である。なお、フック部材４の形状は、特に限定されず、図１０に示した従来の構造のように、車体形状に合わせて屈曲した形状であってもよいし、その他の形状であってもよく、フック部材４は、少なくとも、回動可能なつまみ部３を有していればよい。つまみ部３は、フロアマット５に対して、略垂直の軸を中心に回転可能である。
【００２０】
上グロメット１及び下グロメット２には、中央に穴が空いている。上グロメット１の中央の穴の下方には、係止爪１ｃが設けられている。下グロメット２の中央の穴には、係止爪１ｃに係合する係合部２ａが設けられている。上グロメット１の下面には、複数の突起１ｄが突出している。下グロメット２の上面には、複数の突起２ｂが突出している。上グロメット１と下グロメット２との間に、フロアマット５を挟み、係止爪１ｃを係合部２ｃに係合させることで、上下がはめ合わさる。その際、複数の突起１ｄ及び２ｂがフロアマット５に差し込まれて、フロアマット５をずれにくくする。
【００２１】
図５は、上グロメット１と下グロメット２とによって、フロアマット５を挟み込んだときの斜視図である。図６は、上グロメット１と下グロメット２とによって、フロアマット５を挟み込んだときの左側面図である。なお、図５及び図６において、フロアマット５は、透明に図示している。
【００２２】
このようにはめ合わされた上グロメット１と下グロメット２に対して、中央の穴から、つまみ部３を挿入し、図２に示すつまみ部３の状態から、９０度回転させることで、図１及び図５に示すような状態となる。これによって、つまみ部３が上グロメット１と下グロメット２とによる鳩目部材から抜けなくなる。
【００２３】
フック部材４には、つまみ部３の下面と対向する上面４ａが存在する。上面４ａに、つまみ部３の回転軸が差し込まれることで、つまみ部３は、上面４ａに対して垂直に回動可能となっている。
【００２４】
上グロメット１には、左右に盛り上がった凸部１ｂ，１ｂが設けられている。凸部１ｂ，１ｂは、上面４ａよりも高い位置に盛り上がっている。凸部１ｂ，１ｂの頂上は、図６に示すように、上下がはめ合わされた状態で、つまみ部３の頂上あたりまで、盛り上がっている。さらに、凸部１ｂ，１ｂは、上グロメット１の周縁から徐々に盛り上がる構造となっている。
【００２５】
図７Ａは、つまみ部３を９０度回動させたときの固定具１０の平面図である。図７Ｂは、つまみ部３を回動させていない状態の固定具１０の平面図である。図７Ａに示すように、凸部１ｂ，１ｂの横幅は、つまみ部３の短手方向の横幅よりも、長くなっている。また、図７Ｂに示すように、凸部１ｂ，１ｂの横幅は、つまみ部３の長手方向の横幅よりも、長くなっている。
【００２６】
もし仮に、凸部１ｂ，１ｂが存在しなかったとしたら、つまみ部３だけが露出していることとなるが、つまみ部３が露出していると、靴などで誤って、つまみ部３を回転させてしまう可能性がある。しかし、凸部１ｂ，１ｂを設けることで、つまみ部３を誤って回転させてしまう危険性が解消される。また、凸部１ｂ，１ｂを上グロメット１の周縁から滑らかに徐々に盛り上がらすことで、靴などがあたる際の違和感を解消できる。
【００２７】
図７Ｃは、図７ＡにおけるＢ−Ｂ線での断面図である。図７Ｃでは、上面４ａと溝１ａ，１ａとの位置関係が分かるように、断面を黒く着色している。図７Ｃに示すように、上面４ａと溝１ａ，１ａとは、略同一の高さとなるように、構成されていることが分かる。つまみ部３の下面と溝部１ａ，１ｂとは、略同一の高さとなるように、構成されている。つまみ部３とフック部材４とが対向する面と溝部１ａ，１ｂとは、略同一の高さとなるように、構成されている。そのため、溝１ａ，１ａに異物Ｓが載ったとしても、異物Ｓは、溝１ａ，１ａから容易に取り除くことができる。
【００２８】
なお、溝１ａ，１ａは、上面４ａよりも、高い位置にあっても、また、逆に、低い位置にあっても、異物を取り除きやすいことには違いがないので、溝１ａ，１ａと上面４ａとの高さ関係は、本発明を限定するものではない。
【００２９】
図８は、溝１ａ，１ａに、小石やゴミなどの異物Ｓが載ったときの様子を示す斜視図である。図８に示すように、溝１ａ，１ｂに異物Ｓが載ってしまったとしても、溝１ａ，１ａが存在するため、指で、簡単に、異物Ｓを上グロメット１の外に、取り除くことができ、つまみ部３を回転させることができるようになる。
【００３０】
なお、特許文献４ないし６の固定具の上グロメットに存在する係合凹部は、レバーを係入するための溝であり、本発明の溝１ａ，１ａとは、構造及び目的を異にする。本発明の固定具１０では、つまみ部３は、フロアマット５に対して、略垂直な軸を中心に回転するが、特許文献４ないし６の固定具では、フロアマットに対して、水平な軸を中心に回転して、レバーが倒れるようになっており、係合凹部は、傾倒したレバーを係入しているに過ぎず、異物を取り除くために存在しているのではない。
【００３１】
なお、つまみ部３の形状は、本発明を限定するものではない。図示した例では、つまみ部３は、平面視で横長形状となっていたが、上下左右の長さが、略同一であってもよい。
【００３２】
なお、凸部１ｂ，１ｂの形状は、本発明を限定するものではない。たとえば、凸部１ｂ，１ｂに、強度を向上させるためのリブ等が設けられていてもよい。
【００３３】
なお、溝部１ａ，１ａの形状は、本発明を限定するものではない。たとえば、溝部１ａ，１ａに、さらに、溝が形成されていてもよい。
【００３４】
このように、本発明の一実施形態における固定具１０は、上グロメット１において、つまみ部３の左右に形成された二つ凸部１ｂ，１ｂと、凸部１ｂ，１ｂの間に存在する溝部１ａ，１ａとを備えることで、溝部１ａ，１ｂの異物を取り除きやすくしている。これにより、異物が入ったとしても、つまみ部３を回転させやすい固定具１０が提供されることとなる。
【００３５】
フック部材の上面と、二つの溝部との高さは、略同一である、または、つまみ部の下面と、二つの溝部との高さは、略同一である、または、つまみ部とフック部材とが対向する面と、二つの溝部との高さは、略同一であることにより、異物が取り除きやすくなる。ここで、略同一とは、実質的に段差がない程度に高さが調整されていることを意味し、実質的に段差がないとは、異物を取り除きやすい程度に段差がないことを意味している。数値としては、たとえば、高さの差が上下３ｍｍ以内であるとよい。すなわち、溝部が３ｍｍ高くてもよいし、３ｍｍ低くてもよい。なお、この数値は、あくまでも、例示に過ぎず、本発明を限定するものではない。
【００３６】
図９（ａ）は、凸部を有さない上グロメット１の一例を示す斜視図であり、図９（ｂ）は、溝部１ａを一つのみ有する上グロメット１の一例を示す斜視図である。図１で示した二つの凸部１ｂ，１ｂは、必須構成ではなく、図９（ａ）に示すように、上グロメット１の上面がつまみ部３の高さに合わせてフラットになっており、上グロメット１に二つの溝部１ａ，１ａのみが構成されていてもよい。また、溝の片側の異物を取り除くことが容易であれば、つまみ部を回転させやすくなるので、図９（ｂ）に示すように、溝部１ａは、少なくとも一つであればよい。すなわち、つまみ部３の周辺の異物を、取り除くための少なくとも一つの溝部が、上グロメット１の上部に設けられていればよいと言える。
【００３７】
なお、上記実施形態では、上グロメット１と下グロメット２とを分けて考えたが、鳩目部材と捉えた場合、上グロメット１の凸部１ｂ，１ｂと溝部１ａ，１ａとの構造が本発明を特徴付けることとなる。よって、フロアマットの固定具に使用されるグロメットが、二つの凸部と二つの溝部とを有している、若しくは、少なくとも一つの溝部を有していると考えることができる。
【００３８】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。本明細書に開示されている発明の構成要件は、それぞれ独立に単独した発明として成立するものとする。各構成要件をあらゆる組み合わせ方法で組み合わせた発明も、本発明に含まれることとする。
【産業上の利用可能性】
【００３９】
本発明は、自動車のフロアマットの固定具であり、産業上利用可能である。
【符号の説明】
【００４０】
１  上グロメット
１ａ  溝部
１ｂ  凸部
１ｃ  係止爪
１ｄ  突起
２  下グロメット
２ａ  係合部
２ｂ  突起
３  つまみ部
４  フック部材
４ａ  フック部材の上面
５  フロアマット
１０  固定具
Ｓ  異物
【図１】
2019010949.tif 000003
【図２】
2019010949.tif 000004
【図３】
2019010949.tif 000005
【図４】
2019010949.tif 000006
【図５】
2019010949.tif 000007
【図６】
2019010949.tif 000008
【図７Ａ】
2019010949.tif 000009
【図７Ｂ】
2019010949.tif 000010
【図７Ｃ】
2019010949.tif 000011
【図８】
2019010949.tif 000012
【図９】
2019010949.tif 000013
【図１０】
2019010949.tif 000014